(57)【特許請求の範囲】
【請求項１】
少なくとも移動側メンバーと、移動側メンバーを摺動自在に保持する移動側支持メンバーよりなり、移動側メンバーの最大伸長状態で、移動側支持メンバーに形成されたストッパー突片に移動側メンバーにもうけられた着脱レバーが一旦摺動不能状態にロックされ、着脱レバーの操作によって、移動側メンバーを移動側支持メンバーより抜き出し可能、且つ収納可能としたスライドレールにおいて、着脱レバーの位置に対応する移動側支持メンバーの前端部に、合成樹脂製の装着案内部材が設けられ、装着案内部材は、移動側支持メンバーのストッパー突片が貫通する嵌挿孔と、取付状態でストッパー突片間を閉塞する閉塞突部と、閉塞突部に連設され移動側支持メンバーのストッパー突片の前端と基板の小口面をカバーする指詰め防止部と、指詰め防止部の上下端部に連設されて、移動側支持メンバーの上下折曲縁の小口面をカバーする小口面より大きい緩衝部と、緩衝部の内側端部と指詰め防止部の外側端部の後方に突出して連設され、移動側支持メンバーと移動側メンバーの上下折曲縁間に位置する案内突条と、案内突条の後端部間に形成された取付基部と、取付基部と閉塞突部間に形成された基板嵌合孔が一体に形成されている事を特徴とするスライドレール。
【請求項２】
指詰め防止と緩衝部は、上下方向中央部側が前方に突出する緩やかな弓形状に連設され、取付状態で、移動側メンバー収納時ストッパーが指詰め防止部に衝突した時の緩衝用間隙を移動側支持メンバーの小口面間に有してる事を特徴とする請求項１に記載のスライドレール。
【発明の詳細な説明】
【０００１】
【発明の属する技術分野】
本発明は、引出し、あるいは機器類を本体側から引出した時、最大引出し状態で一旦摺動不能となし、さらに、点検、修理等のため引出し、あるいは機器類を本体側より抜き出す必要がある時、所定の操作で移動側レールが共に抜き出され、その後、再び装着し、所定の操作で移動側レールが収納されるスライドレールに関するものである。
【０００２】
【従来の技術】
従来の、上記スライドレールは断面略Ｃ字形の固定側メンバーと、固定側メンバーに摺動自在となした断面略Ｃ字形の中間メンバー（移動側支持メンバー）と、中間メンバー（移動側支持メンバー）に摺動自在となした断面略Ｃ字形の移動側メンバーと、上記各メンバー間でボールを回転自在に保持するボールリテーナー等からスチール材にて構成されるスライドレールは、各メンバーの最大伸長状態で摺動不能にロックさせる着脱レバー、ストッパー等が各メンバー間に形成されていた。
【０００３】
この為、中間メンバー（移動側支持メンバー）に対し最大伸長状態で摺動不能となった移動側メンバーを中間メンバー（移動側支持メンバー）に収納する場合は、中間メンバー（移動側支持メンバー）の前端部に指先を位置させ、移動側メンバーの内面側に設けた着脱レバーを押さえながら、移動側メンバーを押し込むので、爪、或いは指先が、中間メンバー（移動側支持メンバー）の鋭利な小口面に衝突し、苦痛をともなうだけでなく、怪我をする危険があった。
又、機器類（移動側メンバー）を抜き出した状態では、中間メンバー（移動側支持メンバー）が本体から突出した状態となっているので、点検あるいは修理作業中に不用意に身体の一部（特に頭部）が、飛び出した中間メンバー（移動側支持メンバー）の小口面、特に前端角部に衝突し、怪我をする危険もあった。
【０００４】
【発明が解決しようとする課題】
本発明は上記問題に鑑みてなされたものであり、移動側メンバーの収納時のロック解除操作と点検作業等が安全に行えるスライドレールを提供する事を目的とする。
【０００５】
【課題を解決する為の手段】
そこで、上記課題を解決する為、本発明の第１の手段として構成したところは、少なくとも移動側メンバーと、移動側メンバーを摺動自在に保持する移動側支持メンバーよりなり、移動側メンバーの最大伸長状態で、移動側支持メンバーに形成されたストッパー突片に移動側メンバーにもうけられた着脱レバーが一旦摺動不能状態にロックされ、着脱レバーの操作によって、移動側メンバーを移動側支持メンバーより抜き出し可能、且つ収納可能としたスライドレールにおいて、着脱レバーの位置に対応する移動側支持メンバーの前端部に、合成樹脂製の装着案内部材が設けられ、装着案内部材は、移動側支持メンバーのストッパー突片が貫通する嵌挿孔と、取付状態でストッパー突片間を閉塞する閉塞突部と、閉塞突部に連設され移動側支持メンバーのストッパー突片の前端と基板の小口面をカバーする指詰め防止部と、指詰め防止部の上下端部に連設されて、移動側支持メンバーの上下折曲縁の小口面をカバーする小口面より大きい緩衝部と、緩衝部の内側端部と指詰め防止部の外側端部の後方に突出して連設され、移動側支持メンバーと移動側メンバーの上下折曲縁間に位置する案内突条と、案内突条の後端部間に形成された取付基部と、取付基部と閉塞突部間に形成された基板嵌合孔が一体に形成されている ものである。
【０００６】
次に、本発明が第２の手段として構成したところは、上記第１の手段として構成したところに加え、指詰め防止と緩衝部は、上下方向中央部側が前方に突出する緩やかな弓形状に連設され、取付状態で、移動側メンバー収納時ストッパーが指詰め防止部に衝突した時の緩衝用間隙を移動側支持メンバーの小口面間に有しているものである。
【０００９】
【実施例】
以下、第１実施例を図面に基づいて説明する。
図１〜図２において、符号１００はスライドレールを示し、スライドレール１００は、固定側メンバー１と、固定側メンバー１に摺動自在に保持された移動側支持メンバー（以下中間メンバーと云う。）２と、中間メンバー２にボールリテーナー４に回転自在に保持されたボール４４・・・を介して摺動自在に保持された移動側メンバー３より構成されている
【００１０】
すなわち、固定側メンバー１は、基板１０と、上下折曲縁１１、１１よりチャンネル型に形成され、上下折曲縁１１、１１内面と中間メンバー２の外面間に位置する複数個のボール１３・・・を介して、中間メンバー２を摺動自在に保持している。複数個のボール１３・・・は、固定側メンバー１のほぼ半分程度の長さとなした略Ｃ字形のリテーナー１２・・・に回転自在に保持されている。
そして、固定側メンバー１の基板１０の後端部には、中間メンバー２の収納時ストッパー１５が形成され、基板１０の前端部には前記リテーナー１２の引出し方向への移動範囲を規制するリテーナー前ストッパー（図示せず。）が形成され、基板１０の中間部には中間メンバー２の方向に突出するストッパー部１９が形成されている。
【００１１】
中間メンバー２は、固定側メンバー１とほぼ同長で、基板２０と上下折曲縁２１、２１より固定側メンバー１と同方向の略チャンネル型に形成され、上下折曲縁２１、２１の外面に、摺動方向に渡って前記ボール１３・・・が転動する外面側ボール摺動溝２２、２２を有し、上下折曲縁２１、２１の内面に、摺動方向に渡ってボール４４・・・が転動するボール摺動溝２３、２３を有している。
そして、基板２０の後端部には、中間メンバー２の最大引出し時に、前端部が前記固定側メンバー１のリテーナー前ストッパー（図示せず。）に当接したリテーナー１２の後端に当接して、中間メンバー２の最大引出し量を規制するリテーナー後ストッパー２５が形成され、基板２０の後部所定位置に、移動側メンバー３が最大収納状態となった時、ボールリテーナー４の後端部が当接するボールリテーナー後端ストッパー２６、２６が形成されている。
【００１２】
そして、基板２０の後端部には、前記固定側メンバー１のストッパー部１９に対応して、中間メンバー２が固定側メンバー１対して最大伸長状態で、移動側メンバー３が中間メンバー２に対し若干でも前方に摺動した時、ストッパー部１９の前側に係合し、中間メンバー２の固定側メンバー１に対する収納方向への摺動を阻止するロック部材９が、回動自在で後端部が外方に突出して設けられ、基板２０前端部には、移動側メンバー３が最大伸長状態となった時、後記する着脱レバー６に係合するストッパー突片６１、６１が形成されると共に、合成樹脂製の装着案内部材５が取り付けられている。
尚、ロック部材９は、常にストッパー部１９に係合する方向に付勢され、移動側メンバー３の上下折曲縁３１、３１の後端部が収納方向へ移動する事によって、係合状態が解除される。
【００１３】
移動側メンバー３は、固定側メンバー１とほぼ同長に形成され、ボールリテーナー４に保持されたボール４４・・・を介して摺動自在な大きさで、金属製の細条板の短手両端部を外向き円弧状に折り曲げて形成された、外面長手方向にボール４４・・の摺動面３３、３３を有する上下折曲縁３１、３１と基板３０より断面略Ｃ字型に形成されている。
【００１４】
そして、基板３０の内面所定位置に着脱レバー６が設けられ、中間メンバー２に対し、引出し方向に摺動し、最大引出し位置に達した状態で、着脱レバー６が中間メンバー２のストッパー突片６１、６１に係合して停止する。この状態で、中間メンバー２は固定側メンバー１に対し最大伸長状態となっており、ロック部材９は、ストッパー部１９の前側に係合しているので、固定側メンバー１と中間メンバー２と移動側メンバー３は一旦摺動不能状態となる。
次に、着脱レバー６とストッパー突片６１の係合状態を指先で解除する事で、移動側メンバー３は中間メンバー２より抜き出しあるいは収納可能となる。  一方、移動側メンバー３が中間メンバー２に最も収納された状態で、装着案内部材５の一部に当接する移動側メンバー収納時ストッパー３５が、基板３０の前端部に形成されている。
【００１５】
ボールリテーナー４は、帯状金属板にて中間メンバー２の半分程度の長さとし、前記中間メンバー２と移動側メンバー３の基板２０、３０間に挿入可能な大きさのコ字形基板４０と、コ字形基板４０の両端部よりＬ字形に突出し、中間メンバー２と移動側メンバー３の各上下折曲縁２１、２１、３１、３１間に位置する上下突出縁４１、４１より断面略コ字形に形成され、上下突出縁４１、４１の摺動方向に複数個のボール４４・・・を回転自在に保持している。
そして、移動側メンバー３が最大引出し位置に達した状態で、前記装着案内部材５に前端部が当接し、移動側メンバー３が中間メンバー２より前方に引き出された状態で、装着案内部材５の一部に当接する。
【００１６】
図６、図７に中間メンバー２の先端部分と装着案内部材５を示し、装着案内部材５は、図７に示すように中間メンバー２のストッパー突片６１、６１が貫通する嵌挿孔５１、５１と、取付状態でストッパー突片６１、６１間を閉塞する閉塞突部５２と、閉塞突部５２に連設され中間メンバー２のストッパー突片６１、６１の前端と基板２０の小口面をカバーする指詰め防止部５３と、指詰め防止部５３の上下端部に連設されて、中間メンバー２の上下折曲縁２１、２１の小口面をカバーする小口面より大きい緩衝部５４、５４と、緩衝部５４、５４の上端内側に後方に突出して連設され、中間メンバー２の外面ボール摺動溝２２、２２の外面に位置し、後記する案内突条５５、５５と共に、上下折曲縁２１、２１を挟み込む位置決め突部５４１、５４１と、位置決め突部５４１、５４１より所定寸法内側で、緩衝部５４、５４の内側端部と指詰め防止部５３の外側端部の後方に突出して連設され、中間メンバー２と移動側メンバー３の上下折曲縁２１、２１、３１、３１間に位置する案内突条５５、５５と、案内突条５５、５５の後端部間に形成された取付基部５６と、取付基部５６と閉塞突部５２間に形成された基板嵌合孔５７等より合成樹脂材にて一体に構成されている。
【００１７】
そして、基板嵌合孔５７には、中間メンバー２のストッパー突片６１、６１の後方の基板２０に形成された前側嵌合部２０１が嵌合し、取付基部５６の裏面側には上下方向に所定寸法離間し、中間メンバー２の前側嵌合部２０１の後方に形成された略コ字形の後側嵌合孔２０２、２０２に嵌合し、嵌合突片２０３が内側に嵌合する嵌合脚部５８、５８が設けられ、嵌合脚部５８、５８の前端裏面側端面には基板嵌合孔５７側に突出し、前側嵌合部２０１の後端裏面に係止する係止突部５８１、５８１が形成され、取付基部５６の表面側後端上下方向中央部には、表面側が裏面側に傾斜して、中間メンバー２の基板２０に形成された逃がし孔２０４に、先端部が位置する着脱レバー案内部５９が後方に突出して形成されている。  符号５３１は、指詰め防止部５３の補強突条を示している。
【００１８】
そして、指詰め防止部５３と補強突条５３１と緩衝部５４、５４は、上下方向中央部側が前方に突出する緩やかな弓形状に連設され、取付状態で、中間メンバー２の小口面間に所定の間隙を設け、移動側メンバー３の移動側メンバー収納時ストッパー３５が指詰め防止部５３に衝突した時の緩衝用間隙５０を形成している。
【００１９】
装着案内部材５は、上記の如く構成され次のようにして中間メンバー２に装着される。
まず、基板嵌合孔５７内にストッパー突片６１、６１が位置し、取付基板５６が前側嵌合部２０１の内側に重なる位置で、案内突条５５、５５の一方を、中間メンバー１のボール摺動溝２３に嵌合し、次に取付基板５６等を彎曲させて他方の案内突条５５をボール摺動溝２３に嵌合させる。
【００２０】
続いて、装着案内部材５を中間メンバー２の後方側に押しやると、嵌合脚部５８、５８が前側嵌合部２０１に当接しながら、取付基板５６等が彎曲に変形した状態で後方に移動し、嵌合脚部５８、５８が後側嵌合孔２０２、２０２に位置した状態で、彎曲した取付基板５６の弾性で、嵌合脚部５８、５８及び係止突部５８１、５８１が後側嵌合孔２０２、２０２に落ち込み装着音が発生する。
この状態で、緩衝部５４、５４は中間メンバー２の上下折曲縁２１、２１の前端小口面に当接し、同時に係止突部５８１、５８１が後側嵌合孔２０２、２０２に落ち込んでいるので、装着案内部材５は前後方向に移動する事はない。
次に、取付基板５６を指先で嵌合突片２０３側に強く押しつけると、嵌合脚部５８、５８が後側嵌合孔２０２、２０２に嵌合し、同時に、係止突部５８１、５８１が前側嵌合部２０１の後端裏面に係止し、係止音が発生し、装着案内部材５の取付は完了する。
この状態で、着脱レバー案内部５９が後方に突出して、先端部が逃がし孔２０４に内に位置している。
【００２１】
着脱レバー６は、移動側メンバー３の基板３０内面所定位置にリベット等にて取付られる固定部６０と、基板３０側に変移可能な弾性を有する弾性変移部６２と、弾性変移部６２の前端上下端部に形成され、前記ストッパー突片６１、６１と係合するロック係合部６３、６３と、ロック係合部６３、６３の前端部に連設されたヘの字形の操作部６４より板バネ材にて形成されている。
【００２２】
本発明は上記の如く構成され、固定側メンバー１に中間メンバー２移動側メンバー３が完全に収納された状態から、機器類（移動側メンバー３）が引き出されると、ロック部材９は移動側メンバー３の上下折曲縁３１、３１の内面に弾性接触し、着脱レバー６の操作部６４の外面がボールリテーナー４に弾性接触しているので、中間メンバー２も固定側メンバー１に対し同時に移動し、同時に、リテーナー１２も中間メンバー２の移動量の半分の移動量をもって前方に移動し、やがて、リテーナー１２の前端は固定側メンバー１のリテーナー前ストッパー（図示せず。）に当接して停止し、同時に、中間メンバー２のリテーナー後ストッパー２５がリテーナー前ストッパー（図示せず。）に当接したリテーナー１２の後端に当接して停止する。
【００２３】
次に、停止した中間メンバー２に対し移動側メンバー３が前方に摺動し、上下折曲縁３１の後端が、ロック部材９の前方に位置すると、ロック部材９は弾性によって回動し、後端部が、ストッパー部１９の前側に係合し、中間メンバー２の固定側メンバー１に対する収納方向への摺動を阻止する。
そして、更に機器類（移動側メンバー３）を引き出すと、リテーナー４も移動側メンバー３の移動量の半分の移動量をもって前方に移動し、やがて、着脱レバー６の操作部６４の外面が、着脱レバー案内部５９に接触しながら、中間メンバー２の基板２０から、装着案内部材５の取付基部５６及び中間メンバー２の前側嵌合部２０１に接触して移動し、ストッパー突片６１、６１を乗り越えた後、ロック係合部６３、６３がストッパー突片６１、６１に係合して、移動側メンバーの摺動は停止する。すなわち、着脱レバー６は着脱レバー案内部５９の案内によって、スムーズな移動が可能となり、移動側メンバー３の摺動過程でその摺動力が大きく変化することがない。
【００２４】
上記の状態で、固定側メンバー１と中間メンバー２は、ロック部材９とストッパー部１９の係合、リテーナー前ストッパー（図示せず。）とリテーナー１２及びリテーナー後ストッパー２５の当接によって摺動不能となり、中間メンバー２と移動側メンバー３は、着脱レバーと６とストッパー突片６１、６１の係合によって、摺動不能となり、スライドレール１００は最大伸長状態が維持される。
次に、修理、点検の必要から機器類と共に、移動側メンバー３を中間メンバー２から抜き出す場合は、指先で、着脱レバー６の操作部６４を移動側メンバー３の基板３０側に押さえ込んで、ロック係合部６３、６３とストッパー突片６１、６１との係合を解除した状態を維持しながら、移動側メンバー３を前方に摺動させる。
【００２５】
次に、抜き出された移動側メンバー３を固定側メンバー１から突出した状態で摺動不能となった中間メンバー２に装着する場合は、移動側メンバー３の摺動面３３、３３に、装着案内部材５の案内突条５５、５５の内側を外嵌させながら中間メンバー２に差し込み、やがて、ボール４４、４４を摺動面３３、３３に位置させて、さらに収納方向に移動させると、着脱レバー６の弾性変移部６２がストッパー突片６１、６１を乗り越えた後、ロック係合部６３、６３がストッパー突片６１、６１と係合し、移動側メンバー３は中間メンバー２に対し摺動不能状態となる。
【００２６】
次に、指先で、着脱レバー６の操作部６４を移動側メンバー３の基板３０側に押さえ込んで、ロック係合部６３、６３とストッパー突片６１、６１との係合を解除する。この時、閉塞突部５２によって、ストッパー突片６１、６１間が閉塞されているので、不測に指先をストッパー突片６１、６１間に潜り込ます事がなく安全である。
そして、ロック係合部６３、６３とストッパー突片６１、６１との係合を解除した状態を維持しながら、移動側メンバー３を中間メンバー２に収納していく。
この時、中間メンバ２の前端部には合成樹脂製の指詰め防止部５３が設けられているので、直接中間メンバー２の鋭利な小口面に衝突したり、或いは、ストッパー突片６１、６１間に侵入して指先を傷つける事はない。
【００２７】
さらに、移動側メンバー３が更に中間メンバー２に収納されていくと、移動側メンバー３の折曲縁３１の後端部が、ストッパー部１９に係合しているロック部材９を回動させて、両者の係合状態を解除した状態を維持しながら、同時に中間メンバー２は移動側メンバー３と共に固定側メンバー１に収納され、やがて、上下折曲縁２１、２１の後端面が、固定側メンバー１の収納時ストッパー１５に当接して、中間メンバー２の摺動は停止し、ほぼ同時に、移動側メンバ３の移動側メンバー収納時ストッパー３５が指詰め防止部５３の前面に当接して移動側メンバー３の摺動は停止する。
【００２８】
尚、スライドレールは使用される個所に応じて、適宜構成のスライドレールが選択されるものであるから、本発明は、スライドレールの構成を限定するものではなく、引き出される機器類と直接連結されるメンバーを移動側メンバーとし、移動側メンバーを直接摺動可能に支持するメンバーを移動側支持メンバーとするものである。
すなわち、実施例では、中間メンバー２が移動支持メンバーとなり、固定側メンバーと移動側メンバーからなるスライドレールでは、固定側メンバーが移動支持メンバーとなるものである。
【００２９】
【発明の効果】
請求項１に記載の発明によれば、指先で、着脱レバーのロック状態を解除する時、ストッパー突片間が閉塞突部によって閉塞されているので、不測に指先をストッパー突片間に潜り込ます事がなく安全である。
そして、着脱レバーのロックを解除した状態を維持しながら、移動側メンバーを移動側支持メンバーに収納していくとき、移動側支持メンバーの前端部には合成樹脂製の指詰め防止部が設けられているので、直接移動側支持メンバーの鋭利な小口面に衝突したり、或いは、ストッパー突片間に侵入して指先を傷つける事はない。
さらに、移動側支持メンバーの前端部に移動側支持メンバーの小口面を覆う合成樹脂製の緩衝部を設けたので移動側メンバーを抜き出した状態で、点検等の作業中に、不用意に身体の一部（特に頭部）が、移動側支持メンバーの小口面、特に前端角部に衝突しても、怪我をする事がなく安全である。
又、嵌挿孔と閉塞突部と指詰め防止部と緩衝部案内突条と取付基部と基板嵌合孔が一体に形成されているので、部品点数が少なくなり安価に製作できる。
【００３０】
請求項２に記載の発明によれば、前記効果に加え、指詰め防止と緩衝部は、上下方向中央部側が前方に突出する緩やかな弓形状に連設され、取付状態で、移動側メンバー収納時ストッパーが指詰め防止部に衝突した時の緩衝用間隙を移動側支持メンバーの小口面間に有しているので、移動側メンバーの収納時ストッパーが指詰め防止部に衝突した時に緩衝効果を発揮する。
【図面の簡単な説明】
【図１】      本発明のスライドレールの斜視図
【図２】      図１のＡ−Ａ線拡大断面図
【図３】      本発明のスライドレールの一部正面図
【図４】      図３のＢ−Ｂ線要部断面図
【図５】      図３のＣ−Ｃ線要部断面図
【図６】      中間メンバー（移動側支持メンバー）の前端部斜視図
【図７】      装着案内部材の斜視図
【図８】      着脱レバーの斜視図
【図９】      スライドレールの要部横断面図
【図１０】      図９のＤ部拡大図
【図１１】      図９のＥ部拡大図
【図１２】      着脱レバーと着脱レバー案内部との関係を示す断面図
【符号の説明】
１              固定側メンバー
１００          スライドレール
２              中間メンバー（移動側支持メンバー）
３              移動側メンバー
５              装着案内部材
５３            指詰め防止部
５４、５４      緩衝部
９              ロック部材
【図１】
0003914444.tif 000002
【図２】
0003914444.tif 000003
【図３】
0003914444.tif 000004
【図４】
0003914444.tif 000005
【図５】
0003914444.tif 000006
【図６】
0003914444.tif 000007
【図７】
0003914444.tif 000008
【図８】
0003914444.tif 000009
【図９】
0003914444.tif 000010
【図１０】
0003914444.tif 000011
【図１１】
0003914444.tif 000012
【図１２】
0003914444.tif 000013